(57)【要約】【課題】  盗難にあったり、紛失したりした場合においても、個人認証情報、キー情報等の漏洩を防止し、機密情報や個人情報へのアクセスを効果的に制限するセキュリティの高いＵＳＢキーを提供する。【解決手段】  ＵＳＢキーは、コンピュータのＵＳＢ端子と結合可能なコネクタ部と、ＵＳＢ端子とコネクタ部との結合を阻止する障蔽部材と、コネクタ部に接続する情報保持部を有し障蔽部材を収納可能な本体と、および本体に設けられた施錠部とを備える。施錠部が開錠されることにより、障蔽部材は、ＵＳＢ端子とコネクタ部の結合を阻止する位置から、ＵＳＢ端子と結合が可能となる本体の収納位置に移動可能となり、キーの使用が可能となる。またキーが使用不能の状態においては、情報保持部は、その機能が停止の状態にされ、本体が破壊される場合には、情報保持部も破壊されるように構成する。障蔽部材のかわりにコネクタ部を移動可能にしてもよい。【選択図】    図４
2008276708.tif 000002
【特許請求の範囲】
【請求項１】
コンピュータのＵＳＢ端子と結合するコネクタ部と、
前記コネクタ部に接続する情報保持部を有し、前記コネクタ部を収納可能な本体と、
前記本体に設けられた施錠部とを備え、
前記施錠部の開錠により、前記コネクタ部が、前記本体の収納位置から前記ＵＳＢ端子と結合可能な位置に移動可能となるＵＳＢキー。
【請求項２】
前記本体はスライド部を有し、前記施錠部が開錠された状態において、前記スライド部を摺働させることにより、前記コネクタ部が前記ＵＳＢ端子と結合可能な位置へ移動することを特徴とする請求項１に記載のＵＳＢキー。
【請求項３】
前記コネクタ部が前記収納位置にある場合には、前記コネクタ部は前記情報保持部と切断状態となることを特徴とする請求項１又は請求項２に記載のＵＳＢキー。
【請求項４】
コンピュータのＵＳＢ端子と結合するコネクタ部と、
前記ＵＳＢ端子と前記コネクタ部との結合を阻止する障蔽部材と、
前記コネクタ部に接続する情報保持部を有し、前記障蔽部材を収納可能な本体と、
前記本体に設けられた施錠部とを備え、
前記施錠部の開錠により、前記障蔽部材が、前記ＵＳＢ端子と前記コネクタ部の結合を阻止する位置から、前記結合が可能となる前記本体の収納位置に移動可能となるＵＳＢキー。
【請求項５】
前記本体はスライド部を有し、前記施錠部が開錠された状態において、前記スライド部を摺働させることにより、前記障蔽部材が前記収納位置へ移動することを特徴とする請求項４に記載のＵＳＢキー。
【請求項６】
前記障蔽部材が、前記ＵＳＢ端子と前記コネクタ部の結合を阻止する位置にある場合には、前記情報保持部を機能停止状態に保持することを特徴とする請求項４又は請求項５に記載のＵＳＢキー。
【請求項７】
前記施錠部は、前記本体外部に設けられたダイヤル錠であり、数値の組合せで開錠されることを特徴とする請求項１から請求項６のいずれかに記載のＵＳＢキー。
【請求項８】
前記本体が破壊される場合には、前記情報保持部も破壊される構成を有する請求項１から請求項７のいずれかに記載のＵＳＢキ
【発明の詳細な説明】
【技術分野】
【０００１】
本発明は、認証情報を内部に保持し、装着している間だけコンピュータやネットワークへのログオンを許可したり、あるいは、サーバ上の共有データへのアクセスを可能としたりするＵＳＢ（Universal Serial Bus）キーに関する。
【背景技術】
【０００２】
個人情報保護法の施行以来、企業、組織体が有する機密保持に対する社会的責任が高まり、秘密情報、個人情報等の情報漏洩が組織体、企業体の運営、経営等に及ぼすリスクはより重大なものとなってきている。このような状況の中、既存の検疫システムやファイアウォールといった外部からの脅威に対する対策だけでなく、クライアントＰＣ内の機密情報や、クライアントＰＣからの秘密情報データベースへのアクセス等による情報漏洩対策が強く求められている。
【０００３】
情報漏洩対策として、ＩＤとパスワードを使ったユーザ認証が従来から行われているが、従来のＩＤとパスワードのみを使った方法においてパスワード等の漏洩を防ぎ、より高いセキュリティを保とうとすれば、頻繁なパスワードの変更が強いられるなどユーザの負担が極めて大きくなる。そこで、手軽に使える認証専用ハードウェアとしてＵＳＢキーが考案され、クライアントＰＣのＵＳＢポート（ＵＳＢ端子）に、ＵＳＢキーを差し込まないとアクセスできないＰＣロック機能による不正使用を防止する方法が実用化されている。
【０００４】
このようなＵＳＢキーの内部構造は、汎用のセキュア・メモリを使用した低価格な簡易型と、専用の認証機構や暗号化ハードウェアを搭載した高機能なものとの２種類がある。簡易なものは、認証用のＩＤ、パスワードや証明書などをセキュア・メモリに保存し、さらに安全性を高めたものや、不揮発性メモリの一部を暗号化して簡単には読み出せないようにしたものなどがある。高機能なものには、ＵＳＢキー内部でパスワードを生成するもの、ＵＳＢキー内部に暗号化機構を実装するものや生態認証機構を実装するものなど、いわゆるＵＳＢトークンがある。
【０００５】
特許文献１には、予め定められたキー情報をプログラムしたＵＳＢキーをパソコンのＵＳＢコネクタに挿入し、このＵＳＢキーのキー情報がＢＩＯＳに予め設定した情報と一致した場合はＯＳが起動するが、ＵＳＢキーを挿入しない場合やキー情報が一致しない場合はＯＳが起動しないようにしたコンピュータのキー認証装置が提案されている。
【０００６】
また、特許文献２には、キー情報として乱数を用いることによりパスワードを生成し、キー情報の予測を困難にして高いセキュリティを確保するＵＳＢモジュールが提案されている。
【０００７】
【特許文献１】特開２００２−２５１２２６号公報
【特許文献２】特開２００６−０１８５４５号公報
【発明の開示】
【発明が解決しようとする課題】
【０００８】
しかしながら、従来のＵＳＢキーにおいては、暗号化や生態認証など安全性確保はすべてソフトウェアにおいて行われるものであり、リバースエンジニアリング技法が進展した状況にあっては、ＵＳＢキーが盗難にあったり、紛失したりした場合に、悪意ある第三者によって合鍵の複製が行われ、重要な顧客情報や機密情報がアクセスされて持ち出されてしまう危険性が多分に残っている。このような危険性に対して、ＵＳＢキーもセキュアなものへと進化し、レベルの高い指紋認証など安全性の確保が高められてはいるが、一方において、安全性への追求は利便性を犠牲にして行うことになる。
【０００９】
本発明はこのようの状況の下で考案されたものであり、ＵＳＢキーが盗難にあったり、紛失したりした場合においても、ハードウェア上で対策することにより、より確実にＵＳＢキーの内部に記録された認証情報、キー情報の漏洩を防止し、高い安全性を維持するとともに、特に利便性を損なうことなくパソコンの快適な使用が可能なＵＳＢキーを提供することを目的としたものである。
【課題を解決するための手段】
【００１０】
上記目的を達成するため、請求項１の発明に係るＵＳＢキーは、コンピュータのＵＳＢ端子と結合するコネクタ部と、コネクタ部に接続する情報保持部を有し、コネクタ部を内部に収納可能な本体と、本体に設けられた施錠部とを備えて構成される。そして、施錠部の開錠により、コネクタ部が本体の収納位置からＵＳＢ端子と結合可能な位置に移動可能となるように構成する。
【００１１】
請求項２の発明に係るＵＳＢキーは、請求項１に記載のＵＳＢキーにおいて、本体にスライド部を形成し、施錠部が開錠された状態において、スライド部を摺働させることにより、コネクタ部が収納位置からＵＳＢ端子と結合可能な位置へ移動するように構成する。
【００１２】
請求項３の発明に係るＵＳＢキーは、請求項１又は請求項２に記載のＵＳＢキーにおいて、コネクタ部が本体の収納位置にある場合には、コネクタ部は本体内部の情報保持部と切断状態となるように構成する。このような構成にすることにより、本体内部の認証情報の取得と解析を困難にすることができる。
【００１３】
請求項４の発明に係るＵＳＢキーは、コンピュータのＵＳＢ端子と結合するコネクタ部と、ＵＳＢ端子とコネクタ部との結合を阻止する障蔽部材と、コネクタ部に接続する情報保持部を有し、障蔽部材を収納可能な本体と、本体に設けられた施錠部とを備えて構成される。そして、施錠部の開錠により、障蔽部材が、ＵＳＢ端子とコネクタ部の結合を阻止する位置から前記結合が可能となる本体の収納位置に移動可能となるように構成する。
【００１４】
請求項５の発明に係るＵＳＢキーは、請求項４に記載のＵＳＢキーにおいて、本体がスライド部を有し、施錠部が開錠された状態において、スライド部を摺働させることにより、障蔽部材が収納位置へ移動するように構成する。
【００１５】
請求項６の発明に係るＵＳＢキーは、請求項４又は請求項５に記載のＵＳＢキーにおいて、障蔽部材が、ＵＳＢ端子とコネクタ部の結合を阻止する位置にある場合においては、情報保持部の機能停止状態を保持するように構成する。このような構成にすることにより、本体内部の認証情報の取得と解析を困難にすることができる。
【００１６】
請求項７の発明に係るＵＳＢキーは、請求項１から請求項６のいずれかに記載のＵＳＢキーにおいて、施錠部は、本体外部に設けられたダイヤル錠であり、数値の組合せで開錠するように構成する。簡易な構成で個人認証番号と同様の役割が果たせるからである。
【００１７】
さらに、請求項８の発明に係るＵＳＢキーでは、請求項１から請求項７のいずれかに記載のＵＳＢキーにおいて、本体が破壊される場合に情報保持部も破壊されるように構成する。このような構成にすれば、本体内部の認証情報の取得と解析が困難であり、無理に本体を破壊してリバースエンジニアリング技法による解析を行おうとすると、情報自体が機械的に失われるように構成することができる。
【発明の効果】
【００１８】
本発明に係るＵＳＢキーによれば、使用終了後にコネクタ部を本体内部に収納すること又はコネクタ部とＵＳＢ端子との結合を阻止する障蔽部材を所定位置にセットすることにより、コンピュータとの機械的な結合が果たせなくなるので、たとえ、ＵＳＢキーが盗難にあったり、紛失したりした場合においても、アクセス権限が無い者はコンピュータにログオンしたり、ＷＥＢサーバにアクセスすることができない。従って、特にユーザの利便性を損なうことなく、簡易な方法で本人認証の精度を高めることができ、またクライアントＰＣ内等に保存されている情報の漏洩防止にも極めて効果的である。
【００１９】
また、コネクタ部をＵＳＢ本体内部に収納している状態若しくは障蔽部材をコンピュータとの結合を阻止する所定位置にセットしている状態では、コネクタ部が情報保持部と切断されるように、若しくは情報保持部が機能停止状態を保持するように構成されるので、外部からのリバースエンジニアリング技法による認証情報の取得が困難である。無理に本体を壊して解析しようとすれば、情報保持部自体が破壊されるように構成されている。従って、情報の暗号化や指紋認証等の高精度な漏洩防止装置を用いることなく、より簡易かつ安全な方法でセキュリティの向上を図ることができる。
【発明を実施するための最良の形態】
【００２０】
以下、本発明に係るＵＳＢキーの実施形態を添付図面に基づいて説明する。図１はＵＳＢ規格に適合するＵＳＢキー１（第二の実施例のＵＳＢキー４を含む）の使用方法を説明するための図である。図において、ノート型パソコン２は、ＵＳＢポート３を、その側面に二つ備えている。このＵＳＢポート３には、ＵＳＢメモリ、ＵＳＢ対応の周辺機器、あるいは本発明に係るＵＳＢキー１等を装着することができる。
【００２１】
図２は本発明の第一の実施形態に係るＵＳＢキー１の外観構成を示す斜視図である。このＵＳＢキー１は本体１０とコネクタ部２０（雄型）を主要構成部として形成されている。ほぼ直方体状の本体１０は内部にメモリ部材（図示せず）と基盤１５（図３参照）を実装してモールドされたものであり、さらにコネクタ部２０を内部に収容する空間を形成している。コネクタ部２０は、断面が長方形状の雄型端子であり、その内部に４つの金メッキ端子が並列に配置され、周辺を金属でシールドされた構成を有している。
【００２２】
本体１０の有する４つの側面のうち、ノート型パソコン２に装着した状態において、上方に位置する面（上面）のコネクタ部２０側からみた右肩部分に、稜線に沿ってダイヤル錠１１が配置され、さらに上面と底面で作られる稜線にもダイヤル錠１２が配置されている。なお、ダイヤル錠１１，１２を配置する位置は任意であり、本実施形態の位置に限定するものではない。
【００２３】
ダイヤル錠１１は０から９の数字のうちから一つを選択して、４つの数字の組合せが可能な４連のダイヤル錠であり、ダイヤル錠１２は２つの数字の組合せが可能な２連のダイヤル錠である。結局、この第一の実施形態におけるダイヤル錠は６つの数字の組合せで開錠される構成である。なお、より簡易に構成する場合には、０から９の全部の数字を使用する必要はないし、また４つの数字の組合せである必要もない。どのように組み合わせるかは自由に選択が可能である。
【００２４】
本体１０の上面中央から少しコネクタ部２０側に寄った部分に、スライド部が形成され、スライドノブ２１が上面より僅かに突出している。このスライドノブ２１はコネクタ部２０と連結しており、前記ダイヤル錠１１，１２が開錠された状態では、このスライドノブ２１をコネクタ部２０側にスライドさせることが可能となる。それによって、コネクタ部２０を本体１０の内部収納位置から外部に押し出すことができる。図２（ａ）はコネクタ部２０が本体１０の内部の収納位置に収められた状態の図であり、（ｂ）はコネクタ部２０が本体１０の外部に押し出され、ノート型パソコン２のＵＳＢポート３と結合可能な状態にある図である。
【００２５】
図３は、このＵＳＢキー１の縦軸方向に垂直な縦断面図を示すものである。なお、図１、図２、図３において同一部分には同一の符号を付してあるので重複した説明は省略する。ＵＳＢキー１の本体１０は一体成型により構成してもよいが、上下２枚の筐体（上面側を本体と同じ１０とし、下面側を１０ａとする）を接着して構成してもよい。いずれにしても本体１０の内部にはメモリ部材と、このメモリ部材（例えば、ＥＥＰＲＯＭ）を保持している基盤１５を収納する空間が形成されている。
【００２６】
上面側の筐体１０の内側中央には、縦軸方向に沿ってリブ１６が設けられ、下面側の筐体１０ａの内側、両側面近くには、同じく縦軸方向に沿って並行な２つのリブ１４，１４が設けられている。基盤１５はその中央をリブ１６で保持され、基盤１５の両端は、接着剤１７が塗布され、それぞれリブ１４，１４に接着されて保持されている。今、二つの筐体１０，１０ａを強制的に引き剥がそうとすると、基盤１５の中央部はリブ１６によって図面上方へ引っ張られ、基盤１５の両端はリブ１４によって下方に引っ張られるので、基盤１５を折り曲げるモーメントが働き、破壊される。
【００２７】
次に、第一の実施形態に係るＵＳＢキー１の作用並びに使用法について説明する。最初にＵＳＢキー１をＷＥＢサーバ上の機密データ（共有データ）へのアクセス制御に使用する場合について説明する。サーバの管理者は予めアクセス権限を有する者のＩＤ、パスワード、キー情報など個人を認証する情報をＵＳＢキー１にプログラムして配布する。このときダイヤル錠１１，１２の番号も、それぞれのＵＳＢキー１毎に決定して配布される。データへのアクセス権限を有する者（以下、権限保有者という）はこのＵＳＢキー１を固有のものとして保持管理する。なお、機密データへのアクセスは、そのデータごとに別々のＩＤ等を定めてそれぞれ管理することができる。
【００２８】
権限保有者がデータへアクセスする場合は、ＵＳＢキー１のダイヤル錠１１，１２を開いてスライドノブ２１を押し、コネクタ部２０を本体１０の外部に固定させる。そして、ノート型パソコン２（ＰＣ２と略記する）のＵＳＢポート３にＵＳＢキー１を装着する。一方、ＰＣ２にはＵＳＢキー１を認識するためのデバイスドライバ及びユーティリティソフトが既にインストールされており、ＵＳＢキー１が装着されると、ユーティリティソフトが実行されてＵＳＢキー１の個人認証情報、キー情報等が参照される。
【００２９】
権限保有者がＷＥＢサーバ上の機密データのサイトへアクセスすると、ＵＳＢキー１の個人認証情報、キー情報等は、予めサーバに登録されている個人認証情報、キー情報と照合され、一致した場合にのみプロテクトが解除されて機密データへのアクセスが可能となる。このように、サーバにはＵＳＢキー１を保有する権限保有者のみがアクセスできることになり、機密情報の漏洩が防止される。また、サーバではアクセスした個人記録をすべて保存しておくことにより、機密データへのアクセスを管理することができる。なお、ユーティリティソフトは機密データへのログオン前に、権限保有者のＩＤ情報とパスワードの入力を要求するようにすれば、仮にＰＣ２とＵＳＢキー１がセットで盗難にあっても、パスワード等がなければアクセスできないので、さらなるセキュリティの向上を図ることもできる。
【００３０】
権限保有者がＷＥＢサーバ上の機密データのサイトからログアウトする場合には、ユーティリティソフトを終了してＵＳＢキー１をＵＳＢポート３から抜けばよい。このとき、ＵＳＢキー１の他人による使用を確実に禁止するために、スライドノブ２１を本体１０の中央側に押し込み、コネクタ部２０を本体１０の内部に収納する。本体１０の収納位置においては、データ解析ができないように、コネクタ部２０とメモリ部材（ＥＥＰＲＯＭ）との接続が遮断される。破壊によるメモリ部材の取り出しに対処するため、筐体１０、１０ａを強制的に引き剥がそうとすると、基盤１５の中央部はリブ１６によって図面上方へ引っ張られ、基盤１５の両端はリブ１４によって下方に引っ張られるので、基盤１５自体が破壊される。
【００３１】
図４は本発明の第二の実施形態に係るＵＳＢキー４の外観構成を示す斜視図である。このＵＳＢキー４は本体１０、コネクタ部２０（雄型）と障蔽部材２３を主要構成部として形成されている。ほぼ直方体状の本体１０は内部にメモリ部材と基盤１５（図５参照）を実装してモールドされたものであり、さらに障蔽部材２３、スイッチ部３０，３１を内部に収容する空間を形成している。コネクタ部２０は、断面が長方形状の雄型端子であり、その内部に４つの金メッキ端子が並列に配置され、周辺を金属でシールドされた構成を有している。
【００３２】
本体１０の有する４つの側面のうち、ノート型パソコン２に装着した状態において、上方に位置する面（上面）のコネクタ部２０側からみた右肩部分に、稜線に沿ってダイヤル錠１１が配置され、さらに上面と底面で作られる稜線にもダイヤル錠１２が配置されている。このダイヤル部の構成、機能については第一の実施形態にかかるＵＳＢキー１と同様であるので詳しい説明は省略する。
【００３３】
本体１０の上面中央から少しコネクタ部２０側に寄った部分に、スライド部が形成され、スライドノブ２２が上面より僅かに突出している。このスライドノブ２２は障蔽部材２３及びスイッチ部３０，３１の遮断板２４（図５参照）と連結しており、前記ダイヤル錠１１，１２が開錠された状態では、このスライドノブ２２を本体１０の中央部側にスライドさせることが可能となる。それによって、障蔽部材２３を本体１０の内部の収納位置に引き入れることが可能となる。
【００３４】
図４（ａ）は障蔽部材２３が本体１０の外部にあって、ＵＳＢキー４とノート型パソコン２のＵＳＢポート３との結合を阻止する状態にある場合の図であり、図４（ｂ）は障蔽部材２３が本体１０の収納位置に納められ、ノート型パソコン２のＵＳＢポート３と結合が可能な状態にある場合の図である。
【００３５】
図５は、このＵＳＢキー４の縦軸線方向に沿った縦断面図を示すものである。なお、図１から図４において同一機能を果たす同一形状の部分には同一の符号を付してあるので、同一部分については重複した説明は省略する。ＵＳＢキー４の本体１０は、ＵＳＢキー１と同様、一体成型により構成してもよいが、上下２枚の筐体（上面側を本体と同じ１０とし、下面側を１０ａとする）を接着して構成してもよい。
【００３６】
本体１０のコネクタ部２０の反対側に位置する内部にはスイッチ部３０，３１が設けられている。このスイッチ部３０，３１は鋼製の板ばねで構成され、一方の端子３０は、遮断板２４が配置されている側が自由端となって、通常は他方の端子３１と接触状態を保つように付勢されている。このスイッチ部３０，３１は基盤に実装されたメモリ部材の機能を停止させるように論理回路上のデータ線を短絡するものであり、障蔽部材２３がコネクタ部２０の使用を阻止する所定位置では、短絡状態にある。
【００３７】
障蔽部材２３が本体１０の内部の収納位置に引き入れられると、遮断板２４がさらに本体１０の後部に移動して、スイッチ部３０，３１の接触部分に挿入させる。すると端子３０の自由端が下方にたわみ、スイッチ部３０，３１の接触状態が解除される。これにより、基盤１５のメモリ部材の機能は回復し、ＵＳＢキー４としての機能を果たすことが可能となる。
【００３８】
また、上面側の筐体１０の内側中央には、縦軸方向と垂直の方向に沿ってリブ１８が設けられ、下面側の筐体１０ａの内側、両側面近くには、同じく縦軸方向と垂直な方向に沿って並行な２つのリブ１９，１９が設けられている。基盤１５はその中央をリブ１８で保持され、基盤１５の両端は、接着剤１７が塗布され、それぞれリブ１９，１９に接着されて保持されている。今、二つの筐体１０，１０ａを強制的に引き剥がそうとすると、基盤１５の中央部はリブ１８によって図面上方へ引っ張られ、基盤１５の両端はリブ１９，１９によって下方に引っ張られるので、基盤１５を折り曲げるモーメントが働き、破壊される。
【００３９】
次に、本発明に係るＵＳＢキー４の使用法について説明する。作用についてはＵＳＢキー１の場合と同様であるので簡単な記載とする。権限保有者がデータあるいはサイトへアクセスする場合は、ＵＳＢキー４のダイヤル錠１１，１２を開いてスライドノブ２２を本体１０の中央部側に押し、障蔽部材２３を本体１０の内部収納位置に収める。すると遮断板２４によってスイッチ部３０，３１の接触が解除され、メモリ部材及び基盤１５の機能が回復する。
【００４０】
そこで、ノート型パソコン２（ＰＣ２と略記する）のＵＳＢポート３にＵＳＢキー４を装着する。ＰＣ２にはＵＳＢキー４を認識するためのデバイスドライバ及びユーティリティソフトが既にインストールされており、ＵＳＢキー４が装着されると、ユーティリティソフトが実行されてＵＳＢキー４の個人認証情報、キー情報等が参照される。
【００４１】
権限保有者がログアウトする場合には、ユーティリティソフトを終了してＵＳＢキー４をＵＳＢポート３から抜けばよい。このとき、ＵＳＢキー４の他人による使用を確実に禁止するために、スライドノブ２２をコネクタ部２０側に押し出し、障蔽部材２３を本体１０の外部にコネクタ部２０の上面に沿って配置する。このとき、データ解析ができないように、メモリ部材（ＥＥＰＲＯＭ）の機能が停止される。破壊によるメモリ部材の取り出しに対処するため、筐体１０、１０ａを強制的に引き剥がそうとすると、前述したように基盤１５自体が破壊される。
【００４２】
このように、本発明によれば、ＵＳＢキー１，４を持ち歩き、かりに盗難されても他人による使用が不可能であり、リバースエンジニアリング技法によっても、あるいはＯＳ上からも認識ができない個人認証情報やキー情報を使用するので、合鍵の生成はもとより認証情報の取得自体も困難であり高いセキュリティを確保することができる。
【００４３】
なお、本発明に係るＵＳＢキー１，４を、ＰＣ２自体を他人に使用させないためのＰＣロック機構として使用することも可能である。この場合には、一例として、ＰＣ使用者は電源オンの前にＵＳＢキー１，４をＰＣ２のＵＳＢポート３に装着し、電源をオンにするとＢＩＯＳが起動してＵＥＢキー１，４の装着を確認する。ＵＳＢキー１，４のキー情報はＰＣ２と１対１で作成されるので、ＵＳＢキー１，４がＵＳＢポート３に装着されればキー情報は一致し、ＰＣ２はＵＳＢキー１，４の所有者のみが使用可能となる。
【００４４】
この場合は、キーの使用者はＵＳＢキー１，４のダイヤル錠１１，１２の番号を、ＩＤ番号もしくはパスワードと類似したものとして使用することになるが、リバースエンジニアリング技法の使用が困難なキーによって機械的にＰＣの使用を制限するので、盗難にあった場合や紛失した場合でも、セキュリティを確保することができる。尚、本発明のＵＳＢキー１，４の形態は一実施の態様であって、上記した実施形態に限定されるものではなく、本発明の要旨を逸脱しない範囲内において種々変更を加え得ることは勿論である。またＵＳＢキー１，４の利用態様も一実施例であって、これに限定するものではない。多くの利用方法が考えられる。
【図面の簡単な説明】
【００４５】
【図１】ＵＳＢキーの使用方法を説明するための図である。
【図２】第一の実施形態に係るＵＳＢキーの外観構成を示す斜視図である。
【図３】第一の実施形態に係るＵＳＢキーの縦軸方向に垂直な縦断面図である。
【図４】第二の実施形態に係るＵＳＢキーの外観構成を示す斜視図である。
【図５】第二の実施形態に係るＵＳＢキーの縦軸方向に沿った縦断面図である。
【符号の説明】
【００４６】
１，４        ＵＳＢキー
２            ノート型パソコン
３            ＵＳＢポート（ＵＳＢ端子）
１０          本体（筐体）
１１，１２    ダイヤル錠
１４，１６，１８、１９    リブ
１５          基盤
１７          接着剤
２０          コネクタ部
２１，２２    スライドノブ
２３          障蔽部材
２４          遮断板
３０，３１    スイッチ部
【図１】
2008276708.tif 000003
【図２】
2008276708.tif 000004
【図３】
2008276708.tif 000005
【図４】
2008276708.tif 000006
【図５】
2008276708.tif 000007
【手続補正書】
【提出日】平成19年5月25日(2007.5.25)
【手続補正１】
【補正対象書類名】特許請求の範囲
【補正対象項目名】請求項８
【補正方法】変更
【補正の内容】
【請求項８】
前記本体が破壊される場合には、前記情報保持部も破壊される構成を有する請求項１から請求項７のいずれかに記載のＵＳＢキー。
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
情報保持部を実装し、内部空間を形成してなる本体と、
前記情報保持部に接続し、前記本体の内部に収納が可能であり、使用時には前記本体の外部に移動してコンピュータのＵＳＢ端子と結合可能となるコネクタ部と、
前記コネクタ部に連結し、前記本体に対して摺動可能に設けられており、その把持部が前記本体の周面から外部に表出した状態で前記本体の内部に配置され、前記把持部を移動させることにより、前記コネクタ部を、前記本体の収納位置と前記ＵＳＢ端子と結合可能な位置との間で移動させるスライド部と、
前記本体に設けられ、前記コネクタ部が前記収納位置にある場合に施錠して前記スライド部の摺動を拘束し、開錠により前記スライド部を摺動可能にする施錠部と、を有するＵＳＢキー。
【請求項２】
情報保持部を実装し、２つの凹型部材がその周囲を相互に接合して内部に空間を形成してなる本体と、
前記情報保持部に接続し、前記本体の内部に収納が可能であり、使用時には前記本体の外部に移動してコンピュータのＵＳＢ端子と結合可能となるコネクタ部と、
前記コネクタ部に連結し、前記本体に対して摺動可能に設けられており、その把持部が前記本体の周面から外部に表出した状態で前記本体の内部に配置され、前記把持部を移動させることにより、前記コネクタ部を、前記本体の収納位置と前記ＵＳＢ端子と結合可能な位置との間で移動させるスライド部と、
前記本体に設けられ、前記コネクタ部が前記収納位置にある場合に施錠して前記スライド部の摺動を拘束し、開錠により前記スライド部を摺動可能にする施錠部とからなり、
前記情報保持部は基盤にメモリ部品が搭載されて構成されるものであり、前記基盤の中央部を前記凹型部材の一方が支持し、前記基盤の周辺部を前記凹型部材の他方が支持することにより、前記本体を前記凹型部材の接合部から切り離した場合に前記基盤が破断されることを特徴とするＵＳＢキー。
【請求項３】
コンピュータのＵＳＢ端子と結合するコネクタ部を有し、前記コネクタ部に接続する情報保持部を実装してなる本体と、
前記コネクタ部の周囲に近接して配置することにより、前記ＵＳＢ端子と前記コネクタ部との結合を阻止し、使用時には前記本体の内部に収納が可能な障蔽部材と、
前記障蔽部材に連結し、前記本体に対して摺動可能に設けられており、その把持部が前記本体の周面から外部に表出した状態で前記本体の内部に配置され、前記把持部を移動させることにより、前記障蔽部材を、前記ＵＳＢ端子と前記コネクタ部の結合を阻止する位置と、前記結合が可能となる前記本体の収納位置との間で移動させるスライド部と、
前記本体に設けられ、前記障蔽部材が、前記ＵＳＢ端子と前記コネクタ部の結合を阻止する位置にある場合に施錠して前記スライド部の摺動を拘束し、開錠により前記スライド部を摺動可能にする施錠部と、からなるＵＳＢキー。
【請求項４】
前記本体内部にはスイッチ部が設けられ、前記障蔽部材が前記ＵＳＢ端子と前記コネクタ部との結合を阻止する位置にある場合には前記スイッチを導通させて前記情報保持部の機能を停止させ、前記結合が可能となる前記本体の収納位置にある場合には、前記スイッチを遮断させて前記情報保持部の機能を回復させることを特徴とする請求項３に記載のＵＳＢキー。
【請求項５】
コンピュータのＵＳＢ端子と結合するコネクタ部を有し、２つの凹型部材が、その周囲を相互に接合して内部に空間を形成し、前記内部に情報保持部を実装してなる本体と、
前記コネクタ部の周囲に近接して配置することにより、前記ＵＳＢ端子と前記コネクタ部との結合を阻止し、使用時には前記本体の内部に収納が可能な障蔽部材と、
前記障蔽部材に連結し、前記本体に対して摺動可能に設けられており、その把持部が前記本体の周面から外部に表出した状態で前記本体の内部に配置され、前記把持部を移動させることにより、前記障蔽部材を、前記ＵＳＢ端子と前記コネクタ部との結合を阻止する位置と、前記結合が可能となる前記本体の収納位置との間を移動させるスライド部と、
前記本体に設けられ、前記障蔽部材が、前記ＵＳＢ端子と前記コネクタ部の結合を阻止する位置にある場合に施錠して前記スライド部の摺動を拘束し、開錠により前記スライド部を摺動可能にする施錠部とからなり、
前記情報保持部は基盤にメモリ部品が搭載されて構成されるものであり、前記基盤の中央部を前記凹型部材の一方が支持し、前記基盤の周辺部を前記凹型部材の他方が支持することにより、前記本体を前記凹型部材の接合部から切り離した場合に前記基盤が破断されることを特徴とするＵＳＢキー。
【手続補正２】
【補正対象書類名】明細書
【補正対象項目名】００１０
【補正方法】変更
【補正の内容】
【００１０】
上記目的を達成するため、請求項１の発明に係るＵＳＢキーは、情報保持部を実装し、内部空間を形成してなる本体と、情報保持部に接続し本体内部に収納が可能であり、使用時には本体の外部に移動してコンピュータのＵＳＢ端子と結合可能となるコネクタ部と、コネクタ部に連結し、本体に対して摺動可能に設けられており、その把持部が本体の周面から外部に表出した状態で本体内部に配置され、把持部を移動させることにより、コネクタ部を、本体の収納位置とＵＳＢ端子と結合可能な位置との間で移動させるスライド部と、前記本体に設けられており、コネクタ部が収納位置にある場合に施錠してスライド部の摺動を拘束し、開錠によりスライド部を摺動可能にする施錠部とから構成されている。
【手続補正３】
【補正対象書類名】明細書
【補正対象項目名】００１１
【補正方法】変更
【補正の内容】
【００１１】
請求項２の発明に係るＵＳＢキーは、情報保持部を実装し、２つの凹型部材がその周囲を相互に接合して内部に空間を形成してなる本体と、情報保持部に接続し、本体の内部に収納が可能であり、使用時には本体の外部に移動してコンピュータのＵＳＢ端子と結合可能となるコネクタ部と、コネクタ部に連結し、本体に対して摺動可能に設けられており、その把持部が本体の周面から外部に表出した状態で本体の内部に配置され、把持部を移動させることにより、コネクタ部を、本体の収納位置とＵＳＢ端子と結合可能な位置との間で移動させるスライド部と、前記本体に設けられており、コネクタ部が収納位置にある場合に施錠してスライド部の摺動を拘束し、開錠によりスライド部を摺動可能にする施錠部と、を有して構成されている。更に、情報保持部は基盤にメモリ部品が搭載されて構成されるものであり、基盤の中央部を凹型部材の一方が支持し、基盤の周辺部を凹型部材の他方が支持することにより、本体を凹型部材の接合部から切り離した場合に基盤が破断されるように構成する。
【手続補正４】
【補正対象書類名】明細書
【補正対象項目名】００１２
【補正方法】変更
【補正の内容】
【００１２】
請求項３の発明に係るＵＳＢキーは、コンピュータのＵＳＢ端子と結合するコネクタ部を有し、コネクタ部に接続する情報保持部を実装してなる本体と、コネクタ部の周囲に近接して配置することにより、ＵＳＢ端子とコネクタ部との結合を阻止し、使用時には本体の内部に収納が可能な障蔽部材と、障蔽部材に連結し、本体に対して摺動可能に設けられており、その把持部が本体の周面から外部に表出した状態で本体内部に配置され、把持部を移動させることにより、障蔽部材を、ＵＳＢ端子とコネクタ部との結合を阻止する位置と前記結合が可能となる本体の収納位置との間で移動させるスライド部と、前記本体に設けられており、障蔽部材が、ＵＳＢ端子とコネクタ部の結合を阻止する位置にある場合に施錠してスライド部の摺動を拘束し、開錠によりスライド部を摺動可能にする施錠部と、から構成されている。
【手続補正５】
【補正対象書類名】明細書
【補正対象項目名】００１３
【補正方法】変更
【補正の内容】
【００１３】
請求項４の発明に係るＵＳＢキーは、請求項３に記載のＵＳＢキーにおいて、本体内部にはスイッチが設けられ、障蔽部材がＵＳＢ端子とコネクタ部との結合を阻止する位置にある場合にはスイッチを導通させて情報保持部の機能を停止させ、前記結合が可能となる本体の収納位置にある場合には、スイッチを遮断させて情報保持部の機能を回復させるように構成する。
【手続補正６】
【補正対象書類名】明細書
【補正対象項目名】００１４
【補正方法】変更
【補正の内容】
【００１４】
請求項５の発明に係るＵＳＢキーは、コンピュータのＵＳＢ端子と結合するコネクタ部を有し、２つの凹型部材が、その周囲を相互に接合して内部に空間を形成し、内部に情報保持部を実装してなる本体と、コネクタ部の周囲に近接して配置することにより、ＵＳＢ端子とコネクタ部との結合を阻止し、使用時には本体の内部に収納が可能な障蔽部材と、障蔽部材に連結し、本体に対して摺動可能に設けられており、その把持部が本体の周面から外部に表出した状態で本体内部に配置され、把持部を移動させることにより、障蔽部材を、ＵＳＢ端子とコネクタ部との結合を阻止する位置と結合が可能となる本体の収納位置との間を移動させるスライド部と、前記本体に設けられ、障蔽部材が、ＵＳＢ端子とコネクタ部との結合を阻止する位置にある場合に施錠してスライド部の摺動を拘束し、開錠によりスライド部を摺動可能にする施錠部と、から構成されている。さらに、情報保持部は基盤にメモリ部品が搭載されて構成されるものであり、基盤の中央部を凹型部材の一方が支持し、基盤の周辺部を凹型部材の他方が支持することにより、本体を凹型部材の接合部から切り離した場合に基盤が破断されるように構成する。このような構成にすれば、本体内部の認証情報の取得と解析が困難であり、無理に本体を破壊してリバースエンジニアリング技法による解析を行おうとすると、情報自体が機械的に失われるので、安全性向上の利点となる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
情報保持部を実装し、２つの凹型部材がその周囲を相互に接合して内部に空間を形成してなる本体と、
前記情報保持部に接続し、前記本体の内部に収納が可能であり、使用時には前記本体の外部に移動してコンピュータのＵＳＢ端子と結合可能となるコネクタ部と、
前記コネクタ部に連結し、前記本体に対して摺動可能に設けられており、その把持部が前記本体の周面から外部に表出した状態で前記本体の内部に配置され、前記把持部を移動させることにより、前記コネクタ部を、前記本体の収納位置と前記ＵＳＢ端子と結合可能な位置との間で移動させるスライド部と、
前記本体に設けられ、前記コネクタ部が前記収納位置にある場合に施錠して前記スライド部の摺動を拘束し、開錠により前記スライド部を摺動可能にする施錠部とからなり、
前記情報保持部は基盤にメモリ部品が搭載されて構成されるものであり、前記基盤の中央部を前記凹型部材の一方が支持し、前記基盤の周辺部を前記凹型部材の他方が支持することにより、前記本体を前記凹型部材の接合部から切り離した場合に前記基盤が破断されることを特徴とするＵＳＢキー。
【請求項２】
コンピュータのＵＳＢ端子と結合するコネクタ部を有し、前記コネクタ部に接続する情報保持部を実装してなる本体と、
前記コネクタ部の周囲に近接して配置することにより、前記ＵＳＢ端子と前記コネクタ部との結合を阻止し、使用時には前記本体の内部に収納が可能な障蔽部材と、
前記障蔽部材に連結し、前記本体に対して摺動可能に設けられており、その把持部が前記本体の周面から外部に表出した状態で前記本体の内部に配置され、前記把持部を移動させることにより、前記障蔽部材を、前記ＵＳＢ端子と前記コネクタ部の結合を阻止する位置と、前記結合が可能となる前記本体の収納位置との間で移動させるスライド部と、
前記本体に設けられ、前記障蔽部材が、前記ＵＳＢ端子と前記コネクタ部の結合を阻止する位置にある場合に施錠して前記スライド部の摺動を拘束し、開錠により前記スライド部を摺動可能にする施錠部と、からなるＵＳＢキー。
【請求項３】
前記本体内部にはスイッチ部が設けられ、前記障蔽部材が前記ＵＳＢ端子と前記コネクタ部との結合を阻止する位置にある場合には前記スイッチを導通させて前記情報保持部の機能を停止させ、前記結合が可能となる前記本体の収納位置にある場合には、前記スイッチを遮断させて前記情報保持部の機能を回復させることを特徴とする請求項２に記載のＵＳＢキー。
【請求項４】
コンピュータのＵＳＢ端子と結合するコネクタ部を有し、２つの凹型部材が、その周囲を相互に接合して内部に空間を形成し、前記内部に情報保持部を実装してなる本体と、
前記コネクタ部の周囲に近接して配置することにより、前記ＵＳＢ端子と前記コネクタ部との結合を阻止し、使用時には前記本体の内部に収納が可能な障蔽部材と、
前記障蔽部材に連結し、前記本体に対して摺動可能に設けられており、その把持部が前記本体の周面から外部に表出した状態で前記本体の内部に配置され、前記把持部を移動させることにより、前記障蔽部材を、前記ＵＳＢ端子と前記コネクタ部との結合を阻止する位置と、前記結合が可能となる前記本体の収納位置との間を移動させるスライド部と、
前記本体に設けられ、前記障蔽部材が、前記ＵＳＢ端子と前記コネクタ部の結合を阻止する位置にある場合に施錠して前記スライド部の摺動を拘束し、開錠により前記スライド部を摺動可能にする施錠部とからなり、
前記情報保持部は基盤にメモリ部品が搭載されて構成されるものであり、前記基盤の中央部を前記凹型部材の一方が支持し、前記基盤の周辺部を前記凹型部材の他方が支持することにより、前記本体を前記凹型部材の接合部から切り離した場合に前記基盤が破断されることを特徴とするＵＳＢキー。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
上記目的を達成するため、請求項１の発明に係るＵＳＢキーは、情報保持部を実装し、２つの凹型部材がその周囲を相互に接合して内部に空間を形成してなる本体と、情報保持部に接続し、本体の内部に収納が可能であり、使用時には本体の外部に移動してコンピュータのＵＳＢ端子と結合可能となるコネクタ部と、コネクタ部に連結し、本体に対して摺動可能に設けられており、その把持部が本体の周面から外部に表出した状態で本体の内部に配置され、把持部を移動させることにより、コネクタ部を、本体の収納位置とＵＳＢ端子と結合可能な位置との間で移動させるスライド部と、前記本体に設けられており、コネクタ部が収納位置にある場合に施錠してスライド部の摺動を拘束し、開錠によりスライド部を摺動可能にする施錠部と、を有して構成されている。更に、情報保持部は基盤にメモリ部品が搭載されて構成されるものであり、基盤の中央部を凹型部材の一方が支持し、基盤の周辺部を凹型部材の他方が支持することにより、本体を凹型部材の接合部から切り離した場合に基盤が破断されるように構成する。
【手続補正４】
【補正対象書類名】明細書
【補正対象項目名】００１２
【補正方法】変更
【補正の内容】
【００１２】
請求項２の発明に係るＵＳＢキーは、コンピュータのＵＳＢ端子と結合するコネクタ部を有し、コネクタ部に接続する情報保持部を実装してなる本体と、コネクタ部の周囲に近接して配置することにより、ＵＳＢ端子とコネクタ部との結合を阻止し、使用時には本体の内部に収納が可能な障蔽部材と、障蔽部材に連結し、本体に対して摺動可能に設けられており、その把持部が本体の周面から外部に表出した状態で本体内部に配置され、把持部を移動させることにより、障蔽部材を、ＵＳＢ端子とコネクタ部との結合を阻止する位置と前記結合が可能となる本体の収納位置との間で移動させるスライド部と、前記本体に設けられており、障蔽部材が、ＵＳＢ端子とコネクタ部の結合を阻止する位置にある場合に施錠してスライド部の摺動を拘束し、開錠によりスライド部を摺動可能にする施錠部と、から構成されている。
【手続補正５】
【補正対象書類名】明細書
【補正対象項目名】００１３
【補正方法】変更
【補正の内容】
【００１３】
請求項３の発明に係るＵＳＢキーは、請求項２に記載のＵＳＢキーにおいて、本体内部にはスイッチが設けられ、障蔽部材がＵＳＢ端子とコネクタ部との結合を阻止する位置にある場合にはスイッチを導通させて情報保持部の機能を停止させ、前記結合が可能となる本体の収納位置にある場合には、スイッチを遮断させて情報保持部の機能を回復させるように構成する。
【手続補正６】
【補正対象書類名】明細書
【補正対象項目名】００１４
【補正方法】変更
【補正の内容】
【００１４】
請求項４の発明に係るＵＳＢキーは、コンピュータのＵＳＢ端子と結合するコネクタ部を有し、２つの凹型部材が、その周囲を相互に接合して内部に空間を形成し、内部に情報保持部を実装してなる本体と、コネクタ部の周囲に近接して配置することにより、ＵＳＢ端子とコネクタ部との結合を阻止し、使用時には本体の内部に収納が可能な障蔽部材と、障蔽部材に連結し、本体に対して摺動可能に設けられており、その把持部が本体の周面から外部に表出した状態で本体内部に配置され、把持部を移動させることにより、障蔽部材を、ＵＳＢ端子とコネクタ部との結合を阻止する位置と結合が可能となる本体の収納位置との間を移動させるスライド部と、前記本体に設けられ、障蔽部材が、ＵＳＢ端子とコネクタ部との結合を阻止する位置にある場合に施錠してスライド部の摺動を拘束し、開錠によりスライド部を摺動可能にする施錠部と、から構成されている。さらに、情報保持部は基盤にメモリ部品が搭載されて構成されるものであり、基盤の中央部を凹型部材の一方が支持し、基盤の周辺部を凹型部材の他方が支持することにより、本体を凹型部材の接合部から切り離した場合に基盤が破断されるように構成する。このような構成にすれば、本体内部の認証情報の取得と解析が困難であり、無理に本体を破壊してリバースエンジニアリング技法による解析を行おうとすると、情報自体が機械的に失われるので、安全性向上の利点となる。